(57)【要約】【課題】複数の加熱部で同時に調理するとき、所定の定格電力を超えないように制御して、使用者に対し不便さを与えないようにした誘導加熱調理器を提供する。【解決手段】本体の上面に設けられたトッププレートと、このトッププレート上に載せられた金属製鍋を加熱する複数の加熱コイルと、この加熱コイルに電力を供給するインバータと、加熱手段を有するグリル部と、このグリル部へ電力を供給するグリル電力供給部と、を有する誘導加熱調理器において、グリル部の加熱手段への出力要求が、複数の加熱コイルのいずれかに対する出力要求よりも遅い場合、先に電力が供給された加熱コイルとその設定された電力に応じてグリル部の加熱手段へ電力を供給する。【選択図】図１
2008027638.tif 000002
【特許請求の範囲】
【請求項１】
本体の上面に設けられたトッププレートと、このトッププレート上に載せられた金属製鍋を加熱する複数の加熱コイルと、この加熱コイルに電力を供給するインバータと、加熱手段を有するグリル部と、このグリル部へ電力を供給するグリル電力供給部と、を有する誘導加熱調理器において、
前記複数の加熱コイルのいずれかに対して電力が供給されているとき、前記グリル部の加熱手段へ電力の供給が要求されると、先に電力が供給された加熱コイルとその設定された電力に応じて、前記グリル部の加熱手段へ電力を供給する誘導加熱調理器。
【請求項２】
請求項１記載の誘導加熱調理器において、
前記先に電力が供給された加熱コイルの設定された電力が特定値よりも大きく、この特定値と他の加熱コイルへ供給されている電力とを定格電力から除いた電力が、前記グリル部の加熱手段の設定最大出力よりも大きなときは、前記先に電力が供給された加熱コイルに設定された電力を前記特定値に減じて、前記グリル部の加熱手段へ電力を供給する誘導加熱調理器。
【請求項３】
請求項２記載の誘導加熱調理器において、
前記特定値は、前記定格電力から、前記グリル部の加熱手段の設定最大出力と前記特定値とを除いた残りの電力が、前記設定された電力が減じられた加熱コイル以外の少なくとも一つの加熱コイルに対して、この加熱コイルに予め設定された自動調理の中で最も大きな最大設定出力よりも大きい電力となる値である誘導加熱調理器。
【請求項４】
請求項１記載の誘導加熱調理器において、前記先に電力が供給された加熱コイルが前記グリル部に近い加熱コイルであり、この前記グリル部に近い加熱コイルに供給された電力が特定値を超える場合、前記グリル部に近い加熱コイルの出力を前記特定値に減らし、前記グリル部の加熱手段へ電力を供給する誘導加熱調理器。
【請求項５】
請求項４記載の誘導加熱調理器において、前記グリル部に近い加熱コイルに供給する電力を特定値に減らしても、前記グリルの加熱手段の設定最大出力と前記グリル部に近い加熱コイルに供給された電力とを合わせた合計消費電力が定格電力を超える場合、前記グリル部の加熱手段に電力を供給しない誘導加熱調理器。
【請求項６】
請求項１記載の誘導加熱調理器において、前記複数の加熱コイルは少なくとも３個設けられた誘導加熱調理器。
【請求項７】
請求項１記載の誘導加熱調理器において、前記加熱コイルを前記トッププレートの手前側左右に２個、中央後側に１個配置し、前記特定の加熱コイルを前記グリル部の近くに配置した誘導加熱調理器。
【請求項８】
請求項１記載の誘導加熱調理器において、前記複数の加熱コイルのうち少なくとも一つは金属製鍋の種類によって前記インバータから供給される高周波電力の周波数が異なる誘導加熱調理器。
【請求項９】
本体の上面に設けられたトッププレートと、このトッププレート上に載せられた鍋を加熱する複数の加熱コイルと、この加熱コイルに電力を供給するインバータと、加熱手段を有するグリル部と、このグリル部へ電力を供給するグリル電力供給部と、を有する誘導加熱調理器において、
前記グリル部の加熱手段には設定最大出力で出力するための電力が供給され、前記複数の加熱コイルのうち、少なくとも一つの加熱コイルに対して、この加熱コイルに予め設定された自動調理の中で最も大きな設定最大電力よりも大きな電力を供給する誘導加熱調理器。
【請求項１０】
請求項９記載の誘導加熱調理器において、
前記複数の加熱コイルのうち、少なくとも一つの加熱コイルは供給されていた設定出力よりも小さな電力が供給される誘導加熱調理器。
【請求項１１】
本体の上面に設けられたトッププレートと、このトッププレート上に載せられた鍋を加熱する複数の加熱コイルと、この加熱コイルに電力を供給するインバータと、加熱手段を有するグリル部と、このグリル部へ電力を供給するグリル電力供給部と、を有する誘導加熱調理器において、
前記複数の加熱コイルは、本体の前面寄りに配置された２つの加熱コイルと、これら誘導加熱コイル間の奥寄りに配置された１つの加熱コイルと、を有し、前記奥寄りに配置された加熱コイルでは自動調理メニューとして炊飯機能を有していない誘導加熱調理器。
【発明の詳細な説明】
【技術分野】
【０００１】
本発明は、複数の加熱部を備えた誘導加熱調理器に関するものである。
【背景技術】
【０００２】
近年、誘導加熱調理器の需要が伸びている。誘導加熱調理器の誘導加熱部は、熱効率が高いこと、ガスコンロ並み以上の火力が得られること、炎を出さず、かつ消し忘れタイマー等の機能があり安全であること、天面がフラットで清掃が容易であること等が評価され、ガステーブルからの代換えとして、魚焼き等を行うグリル部と鍋等の加熱を行う２口以上の加熱コイルによる誘導加熱部を組み合わせた誘導加熱調理器の需要が伸びている。
【０００３】
このような従来の誘導加熱調理器では、それぞれの加熱部（グリル部と誘導加熱部）はできるだけ高出力が安定して得られることが調理性能上望ましいが、一般家庭の電源事情（電源容量，配線容量，コンセントの種類等）の制約や、法律上の制約から、機器全体の最大の総合電力が所定の値に収まる範囲の製品としている。このため、トッププレート手前側の左右に２つ設けられた加熱コイルによる誘導加熱部と、トッププレート中央後側に設けられたラジエントヒータ（電熱ヒータ）による加熱部と、本体正面に引き出し自在に設けられたグリル部を加熱する電熱ヒータによる加熱部を備え、ラジエントヒータまたはグリル部の電熱ヒータによる加熱部が動作中の場合、機器の合計電力−電熱ヒータ加熱電力＝誘導加熱部の出力（電力）として、誘導加熱部に割り当て可能な出力を求め、機器の総合電力が所定の値に収まるようにし、機器の総合電力の所定範囲内で誘導加熱部が許容される消費電力の範囲内で出力設定することを可能にしている。したがって、誘導加熱部はその許容範囲に対して０〜１００％の範囲で広範囲に出力設定をすることが可能であり、加熱調理に際しては、高出力で短時間に調理することができるとともに、誘導加熱の特徴である熱交換効率の高い出力による調理の仕上がりが実現できるようにしている（例えば、特許文献１参照）。
【０００４】
【特許文献１】特開２００３−３４７０２６号公報
【発明の開示】
【発明が解決しようとする課題】
【０００５】
しかしながら、上記の従来技術において、使用者が複数の加熱部を使い複数の調理を行おうとした場合、その電力の組み合わせによっては、グリル部が使用できないことがあった。
【０００６】
このためトッププレート部の加熱部の調理が終わってからグリル部で、例えば魚焼き等を行うと、全ての調理が終わるまで長時間掛かってしまい、先に出来た料理が冷えてしまい食味を著しく損なってしまう。
【０００７】
忙しい朝は、グリル部での魚焼きを含めて全ての加熱部を使用して一度に食卓に料理を運び、又、お弁当を作るなど、使用率が非常に高いものである。更には、夕食では家族そろって食卓を囲むためにも多くの料理が一度にできる必要がある。このように、複数の加熱部を有していながら使用できない加熱部があることは使用者に対して調理時に著しい不便さを与え、苦痛を与えてしまうという問題があった。
【０００８】
本発明の目的は、加熱コイルを有する複数の誘導加熱部とシーズヒータのような発熱体を加熱手段として有するグリル部とを備えた誘導加熱調理器において、多くの加熱部を並行して使用できる誘導加熱調理器を実現することである。
【課題を解決するための手段】
【０００９】
上記の課題を解決するために本発明の誘導加熱調理器は、本体の上面に設けられたトッププレートと、このトッププレート上に載せられた金属製鍋を加熱する複数の加熱コイルと、この加熱コイルに電力を供給するインバータと、加熱手段を有するグリル部と、このグリル部へ電力を供給するグリル電力供給部と、を有する誘導加熱調理器において、前記グリル部の加熱手段への出力要求が、前記複数の加熱コイルのいずれかに対する出力要求よりも遅い場合、先に電力が供給された加熱コイルとその設定された電力に応じて前記グリル部の加熱手段へ電力を供給するものである。
【発明の効果】
【００１０】
本発明によれば、複数の誘導加熱部とグリル部とを備えた誘導加熱調理器において、多くの加熱部を並行して使用でき、使用者は調理時に不便さを感じることなく快適に調理することが出来、非常に使い勝手が良いものである。
【発明を実施するための最良の形態】
【００１１】
以下、本発明の一実施例を図面に基づいて説明する。図１は本発明の一実施例を示す誘導加熱調理器をシステムキッチンに組み込んだ状態の外観斜視図である。図１において、誘導加熱調理器の本体１はトッププレート２の下に設けられている。このトッププレート２は、耐熱性の高い結晶化ガラスからなる。トッププレート２に被加熱物である調理用の鍋等の調理器具が載置される。
【００１２】
トッププレート枠３は、トッププレート２の周囲の端部を覆っている。トッププレート２との間にはシール材（図示せず）が充填していてトッププレート２の周りに固着している。シール材によりトッププレート２の上に液体がこぼれても、本体１内部に水が漏れない水密構造を持つ。
【００１３】
トッププレート枠３は本体１にも固定されている。本体１をシステムキッチン１０に取り付ける際は、トッププレート枠３で本体１を吊り下げて設置する。
【００１４】
トッププレート枠３の後枠部に開口する吸気部１ａは、本体１の後部に設けられた吸排気通路と連通して、本体１内の制御部ユニット（図示せず）や加熱コイル６の冷却用の空気を吸気する。
【００１５】
吸気部１ａと同様に、トッププレート枠３の後枠部に開口する排気部１ｂは、制御部ユニット（図示せず）や加熱コイル６などを冷却した空気やグリル部５からの排煙を排気する。
【００１６】
トッププレート２の上面に設けられた複数の鍋位置表示部４は、トッププレート２の下部に配置される加熱コイル６（図示せず）の真上になる位置に設けられた表示部である。
【００１７】
複数の加熱コイル６は、トッププレート２の下であって本体１の上部に略水平に設けられている。トッププレート２の前面よりである手前左側に加熱コイル６ａが、トッププレート２の前面よりである手前右側に加熱コイル６ｂが、加熱コイル６ａと加熱コイル６ｂとの間の奥寄りであるトッププレート２の中央後側に加熱コイル６ｃが設けられている。トッププレート２に載置された調理用の鍋等を誘導加熱する。
【００１８】
鍋位置表示部４ａはトッププレート２手前左側に配置される加熱コイル６ａに対応して設けられ、鍋位置表示部４ｂはトッププレート２手前右側に配置される加熱コイル６ｂに対応して設けられ、鍋位置表示部４ｃはトッププレート２中央後側に配置される加熱コイル６ｃに対応して設けられている。
【００１９】
トッププレート２の手前側左右の加熱コイル６ａ，６ｂは、炒め物や揚げ物など比較的大きい出力が必要な調理用である。本実施例においては、夫々最大消費電力３.０ｋＷ の加熱出力（火力）を有している。
【００２０】
また、トッププレート２の中央後側に配置された加熱コイル６ｃは、保温や煮込み料理、炊飯調理など、調理時の作業がそれ程必要なく、且つ手前側左右の加熱コイル６ａ，
６ｂに比べて比較的出力が弱い調理用である。本実施例においては、加熱コイル６ｃは、最大消費電力１.６ｋＷ の加熱出力（火力）を有している。
【００２１】
本実施例では、トッププレート２の手前側左右の加熱コイル６ａ，６ｂは、直径約200
mmとし、調理用鍋でよく使用される直径２００mm程度の鍋を効率よく加熱できる大きさにしている。そして、加熱コイル６ａ，６ｂの真上のトッププレート２上面に設けられた鍋位置表示部４ａ、４ｂは、加熱コイル６ａ，６ｂの直径と略同一の大きさの表示である。
【００２２】
また、トッププレート２中央後側の加熱コイル６ｃは、直径約１４０mmとし、小形の調理鍋を効率よく加熱することが出来る大きさにしている。そして、加熱コイル６ｃの真上のトッププレート２上面に設けられた鍋位置表示部４ｃは加熱コイル６ｃの直径と略同一の大きさの表示である。
【００２３】
なお、本実施例において誘導加熱調理器本体１の大きさは、本体１を組み込むシステムキッチン１０のカウンタートップに設けられた取付け穴の開口部寸法に合わせてある。この開口部寸法は、ＪＩＳでは幅５６０mm，奥行き４６０mmである。
【００２４】
トッププレート２の大きさは、取付け穴の開口寸法に応じた幅６００mm，奥行き４００mm程度の大きさであり、この範囲内に直径の大きさが２００mmの加熱コイル６ａ，６ｂを手前側左右に間隔を１００mm空けて配置し、中央後側に直径１４０mmの加熱コイル６ｃを配置した。
【００２５】
グリル部５は、加熱コイル６の下方で本体１内の左側または右側（本実施例では左側）に設けている。このグリル部５は矩形状の箱体であり、中に入れられた被加熱物を加熱する加熱手段を有する。本実施例において、この加熱手段は１.２ｋＷ の加熱出力を有するシーズヒータ（図示せず）である。更にグリル部５は、取っ手５ｂを備えた扉５ａと、この扉５ａと供に本体１の前面から出し入れ可能な受皿（図示せず）と、を備える。
【００２６】
受皿には被加熱物を載せる網（図示せず）を置いて加熱調理を行う。グリル部５は、この網の上に魚やピザ，グラタン等の被加熱物である調理物を載せてグリル調理する。グリル部５で調理する場合、匂いや煤煙がグリル部５内で発生する。それらが排気部１ｂから室内に排気され室内の空気を汚すことを防ぐため、グリル部５からの排気を触媒により浄化する仕組みを備えても良い。触媒は加熱を要するため、０.３ｋＷ のヒータ(図示せず)が組み込まれている。したがって、触媒を備えたグリル部５で調理を行う場合は、合計
１.５ｋＷ の電力消費となる。
【００２７】
パネル操作部７は、グリル部５の横に位置である本体１の右側前面に設けている。図２に示すように誘導加熱調理器の電源の入り切りを行う電源切／入スイッチ７ａと、グリル部５の加熱手段であるシーズヒータの入り切りを行う切／スタートキー７ｂで構成されている。パネル表示部７ｃは、パネル操作部７で操作した内容を使用者にわかり易く表示する。
【００２８】
上面操作部８は、トッププレート２の手前に設けられたプレート枠３の前枠部に設けられている。本実施例ではプレート枠３の前枠部に設けてあるが、トッププレート２に設けるようにしてもよい。
【００２９】
図３に示された上面操作部８は、加熱コイル６ａ，６ｂ，６ｃの夫々に対応した上面操作部８ａ，８ｂ，８ｃからなる。上面操作部８ａ，８ｂ，８ｃには図４に示すように、夫々の加熱コイル６ａ，６ｂ，６ｃの通電をオンオフするときに押す切／スタートキー401と、夫々の加熱コイル６ａ，６ｂ，６ｃの出力（出力）やタイマー値、自動調理を設定
（選択）するときに押す設定キー４０２と、夫々の加熱コイル６ａ，６ｂ，６ｃのタイマー時間を設定する時に押すタイマーキー４０３と、夫々の加熱コイル６ａ，６ｂ，６ｃの自動調理を設定する時に押すメニューキー４０４が設けられている。
【００３０】
設定キー４０２は、図５に示すように、夫々の加熱コイル６ａ，６ｂ，６ｃに対し段階的な出力を設定することが出来る。図５において、加熱コイル６ａ，６ｂは最大出力が
３.０ｋＷ となっているが、同じ加熱コイル６ａ，６ｂを用いても、加熱対象の材質により最大出力が変わる場合、例えば磁性材料からなる調理鍋と非磁性材料からなる調理鍋とで最大出力が変わる場合は、それぞれの最大出力に応じて段階的な出力を設定するようにしてもよい。
【００３１】
また、図示はしないが、タイマーキー４０３を押すと、タイマー制御の設定要求が制御部７１３に発せられ、設定時間を段階的なタイマー値として設定することができる。
【００３２】
また、メニューキー４０４を押すと、自動調理設定処理が開始する。そして、設定キー４０２を操作することで、図６に示す４種類の自動調理機能が基本的に設けられていて、これらが表示され、選択可能となる。
【００３３】
自動調理機能は、被加熱物である調理鍋の温度を制御して行うプログラムが制御部に記憶されていて、本実施例の場合は保温，炊飯，揚げ物，湯沸しである。図６中、トッププレート２の中央後ろ側に設けられた加熱コイル６ｃは、設定された最大出力(１.６ｋＷ)と自動調理で求められる最大出力との関係で、保温と炊飯とが自動調理を設定可能であるが、加熱コイル６ｃはこの他にも煮込みの設定が可能である。また、加熱コイル６ｃよりも設定最大消費電力が大きい、トッププレート２の前側左右に設けられた加熱コイル６ａ，６ｂについては、それぞれ鉄やステンレスを加熱する場合には３.０ｋＷ の最大消費電力で出力させることができるので、本実施例で挙げる自動調理メニュー（保温，煮込み，炊飯，揚げ物，湯沸し）のいずれも設定最大出力が低いことからいずれの自動調理も設定可能である。
【００３４】
例えば、自動調理メニューの保温を設定すると、入力された設定キー４０２に対応する加熱コイル６は、加熱出力がその自動調理メニューの間、最大０.５ｋＷ の出力に設定される。
【００３５】
同様に他の自動調理メニューが設定された場合、炊飯では最大１.１ｋＷ 、揚げ物では最大１.８ｋＷ 、湯沸しでは最大２ｋＷ の出力に設定される。
【００３６】
自動設定メニューが設定された加熱コイル６は、後記する温度検出器７１１により調理鍋の温度を検知して、その温度に応じて出力を調整し、設定された自動調理の制御プログラムに従い調理（加熱処理）を実行する。
【００３７】
加熱コイル６ｃにおける煮込みの自動調理は、炊飯の自動調理に求められる最大出力よりも小さくてよい。煮込み調理は、沸騰温度まで加熱する出力が必要である。しかし、一旦被加熱物が沸騰すると、それ以降は沸騰温度を維持する出力は不要である。鍋の大きさや材質に影響されるが、鍋の中の被調理物を沸騰温度まで加熱するに要した出力よりも少ない出力で十分である。
【００３８】
ここまでに自動調理と加熱コイル６との関係について述べたが、設定最大消費電力が他の加熱コイル６ａ，６ｂに比べて小さい加熱コイル６ｃは、トッププレート２の奥に設けられており、吸気部１ａや排気部１ｂに対して近接した場所にある。そのため、鍋で炊飯をしようとすると必ず蓋から飛まつ（泡）が飛び散ることから、特に吸気部１ａから本体内に飛まつが浸入する可能性がある。
【００３９】
また、炊飯自動調理を行わないようにすると、加熱コイル６ｃで行う他の自動調理で保温や煮込みを設定したとしても１.１ｋＷ 未満の電力しか加熱コイル６ｃで拘束されず、他の加熱コイル６ａ，６ｂやグリル部５へ振り分けられる電力が多くなるため、加熱コイル６ｃでは自動調理による炊飯機能を設定しないようにしてもよい。
【００４０】
上面表示部９は、図３に示すように、トッププレート２の手前側であって各加熱コイルの上面操作部８と対応する位置に設けられている。上面操作部８で操作した出力の設定値や、自動調理メニューの内容や、調理のタイマー時間等を、上面操作部８のそばで使用者にわかり易く表示するものである。
【００４１】
なお、上面操作部８ａ，８ｂ，８ｃと上面表示部９ａ，９ｂ，９ｃは、設定する加熱コイル６ａ，６ｂ，６ｃとの対応関係を分かり易くするため、加熱コイル６ａ，６ｂ，６ｃから真直ぐ手前側のトッププレート２の辺部に直線状に並べて設けた。
【００４２】
図７は、誘導加熱調理器の回路ブロック図である。図７において、誘導加熱調理器に入力する商用電源の交流７０１は、グリル部５の加熱手段であるシーズヒータ７０２と、加熱コイル６ａ，６ｂ，６ｃの出力（電力）を制御する駆動回路であるインバータ回路703，７０４，７０５とに供給される。オンオフ回路７０６はグリル部５の加熱手段であるシーズヒータ７０２をオンオフ制御して電力を供給する。
【００４３】
上面操作回路部７０７は上面操作部８と接続し入力された情報を信号に変えて制御部
７１３へ送信する。上面表示回路部７０８は制御部７１３からの表示信号を上面表示部９で表示する。パネル操作回路部７０９はパネル操作部７での入力を制御部７１３に送る信号に変える。パネル表示回路部７１０は制御回路７１３の出力をパネル表示部で表示する。
【００４４】
温度検出器７１１は、トッププレート２の下方に設けられており、夫々の加熱コイル
６ａ，６ｂ，６ｃで加熱される調理用鍋の温度を、トッププレート２を介して検出する。設定された自動調理メニューによる自動調理時に、この温度検出器７１１で検出した温度情報に基づき、加熱コイルの出力を調節して、鍋が所定の温度となるように制御する。報知部７１２は制御部７１３の出力に基づき使用者にブザー音等により報知する。
【００４５】
制御部７１３は、マイクロコンピュータで構成された制御手段である。この制御部713は、上面操作回路部７０７やパネル操作回路部７１１の操作信号や、温度検出器７１１の出力信号を入力して、上面表示回路部７０８や、パネル表示回路部７１０に表示信号を出力する。グリル部５の加熱手段であるシーズヒータ７０２をオンオフするオンオフ回路
７０６や、加熱コイル６ａ，６ｂ，６ｃの出力を複数段階に調整するインバータ回路703，７０４，７０５には制御信号を出力している。
【００４６】
次に、上記説明した加熱コイル６の制御について詳細を説明する。図１２は、図７に示した加熱コイル６ａ，６ｂ，６ｃ、インバータ７０３，７０４，７０５、の具体的回路図である。三つの加熱コイル６は共に同様であるので、一つを示して説明する。
【００４７】
インバータ７０３について説明する。交流電源１１７から供給された交流を整流手段
１０２で直流に変換し、スイッチング素子１０３，１０５の直列体で構成するスイッチング部に接続する。スイッチング素子１０３，１０５にはそれぞれ逆並列にダイオード104，１０６が接続され、スイッチング素子１０３，１０５の接続点と直流電圧の基準点間に加熱コイル１３と共振コンデンサ１０７で構成する共振回路部が接続される。また、スイッチング素子１０３，１０５にはそれぞれスナバコンデンサ１０８，１０９が接続されている。
【００４８】
スイッチング素子１０３、１０５をそれぞれ排他的に高周波でオンオフすることによって、加熱コイル１０１と共振コンデンサ１０７で構成する共振回路部に高周波共振電流を供給し、加熱コイル１０１近傍に配置した負荷を加熱する。
【００４９】
制御部１１０は、制御手段７１３（図７）から負荷に印加する目標となる電力レベル指示を入力し、インバータの出力電力が目標値になるようスイッチング部１０３，１０５を制御する。
【００５０】
入力電流変換手段１１２は交流電源１１７から入力する電流を検出する検出手段１１１の出力信号を適切なレベルに変換してインバータ制御部１１０に出力する。
【００５１】
入力電圧検出手段１１３は交流電源１１７の電圧を検出し適切なレベルに変換して制御手段１１０に出力する。
【００５２】
インバータ電流検出手段１１５は共振回路部に流れる電流を検出する検出手段１１４の出力信号を適切なレベルに変換してインバータ制御部１１０に出力する。
【００５３】
インバータ制御部１１０はこれらの信号を入力し、負荷に投入される電力であるインバータ電力の計算、負荷の状態、加熱の適否等を判断し、スイッチング素子１０３，１０５を排他的にオンオフ制御するための信号を出力し、レベル変換部１１６によってスイッチング素子１０３、１０５に対して適切な駆動レベルに変換し、スイッチング素子１０３，１０５を駆動する。また、インバータ制御部１１０はこれらの状態を制御手段７１３に出力する。
【００５４】
次に、以上の構成による動作を説明する。例えば使用者が、トッププレート２手前左側の加熱コイル６ａにより調理する場合で説明する。
【００５５】
まず、被調理物を入れた金属製鍋が加熱コイル６ａ上の鍋位置表示部４ａの中心に置かれ、パネル操作部７の電源切／入スイッチ７ａが電源入状態になると、誘導加熱調理器の運転が開始する。
【００５６】
次に上面操作部８ａの加熱コイル６ａの出力を設定する設定キー４０２で出力要求に合わせて、図５に示す段階的な火力（出力）を、数値及び／または要求火力に合わせて増減する目盛などで上面表示部９ａに順に表示する。
【００５７】
使用者の操作により表示された要求火力は、表示状態でそのまま数秒放置すると確定された設定出力としてその出力を制御部７１３が設定する。
【００５８】
次に、上面操作部８ａの切／スタートキー４０１からの加熱開始の入力を制御部７１３が検知すると、設定された出力となるように制御部７１３からインバータ回路７０３に電力を供給して加熱処理を開始する。
【００５９】
インバータ制御部１１０は、入力電流変換手段１１２とインバータ電流検出手段１１５との検出結果より、金属製鍋が加熱可能な鍋なのか、また材質は磁性体なのか非磁性体なのかを検出する。インバータ制御部１１０は、加熱に不適当であると判断したらインバータ回路７０３に加熱停止を命令する。また、インバータ制御部１１０は、加熱に適当であると判断したら、材質に合わせた共振周波数で加熱するように、共振コンデンサ１０７を金属製鍋の材質に合わせて切り替え（詳細な回路は図示せず）、スイッチング素子１０３，１０５を駆動する。
【００６０】
使用者の手動による調理が終了した場合、上面操作部８ａの切／スタートキー４０１から切り入力がなされ、この加熱切り要求を制御部７１３が受けると、加熱コイル６ａの加熱を停止する。加熱コイル６ａの使用後、他の操作が無ければ、パネル操作部７の電源切／入スイッチ７ａの電源切操作により電源を切る。
【００６１】
調理タイマーの設定の場合は、調理中に、該当する加熱コイル６に対応する上面操作部８のタイマーキー４０３の入力により、制御部７１３はタイマー設定入力待ち状態になる。
【００６２】
タイマー設定入力待ち状態になると、対応する上面表示部９はタイマー値入力画面に切り替わる。設定キー４０２によりタイマー値が入力されると、その入力に従ったタイマー値を上面表示部９に順に表示する。
【００６３】
表示内容が変わらないまま、言い換えると新たなタイマー値の入力が設定キー４０２から無い場合、数秒間経過を監視する。所定時間の経過後、制御部７１３は報知部４１２よりブザーを鳴らし、新たなタイマー値の入力がない場合、制御部７１３は最終入力タイマー値を決定値として設定する。そして、制御部７１３はその設定された時間、タイマーを起動する。調理タイマーによりその設定時間を計時し、設定時間が終了すると該当する加熱コイル６の通電を停止するよう制御部７１３はインバータ回路に指令を出し、加熱コイル６の加熱が停止し、また報知部７１２により設定時間の終了としてブザーを鳴らして報知する。
【００６４】
グリル部５で魚等を焼く場合、使用者は網の上に被加熱物を載せ、網をグリル部５に収納した後、パネル操作部７の電源切／入スイッチ７ａを入れる。電源切／入スイッチ７ａの電源入操作により他の加熱手段と供に、グリル部５でも加熱準備状態となる。
【００６５】
次にパネル操作部７の切／スタートキー７ｂを押されると、グリル部５への加熱要求があったと判断して、制御部７１３は、オンオフ回路７０６にグリル部５のシーズヒータ
７０２に通電して、網に載せられた被加熱物の加熱を開始する。図示はしないが、グリル部５の加熱庫内には、温度検出器７１１が設けられ、その温度センサの検知結果を制御部７１３で受信し、被加熱物の加熱状態を判断し加熱庫内の温度調節をしながらグリル部５の加熱調理を行う。
【００６６】
加熱庫内の被加熱物によっては温度調節処理が異なる。図２には示されていないが、例えば、魚焼き調理の場合は、被加熱物である魚の焼きの進み具合に応じて加熱量を変化させる。庫内の温度変化が少なくなったのを検知したら制御部７１３にてシーズヒータ702への通電を停止する。使用者は調理が終了したら、他の調理が無い時には、電源切／入スイッチ７ａを押して電源を切る。このように、グリル部５はその調理対象によって要求出力に幅がある。従って、設定最大出力を予め確保しておく必要がある。本実施例では、以下に述べるようにグリル部５の設定最大出力を１.５ｋＷ とした。
【００６７】
次に、加熱コイル６による自動調理について説明する。例えば加熱コイル６ｂで揚げ物調理する場合は、油を入れた天ぷら鍋が加熱コイル６ｂ上の鍋位置表示部４ｂの中心に置かれ、使用者によりパネル操作部７の電源切／入スイッチ７ａが電源入となると、加熱コイル６ｂが加熱準備状態になる。
【００６８】
次に上面操作部８ｂのメニューキー４０４の入力により自動調理モードが設定され、続けて上面操作部８ｂの設定キー４０２の入力により、制御部７１３は自動調理メニューを表示部９ｂに順に表示す。
【００６９】
自動調理メニューの揚げ物表示状態が数秒間維持されていると、言い換えるならば、設定キー４０２の操作により揚げ物調理が選択されたまま所定時間維持されると、その自動調理メニューを制御部７１３は設定する。
【００７０】
次に上面操作部８ｂの切／スタートキー４０１が押されることにより、設定された揚げ物調理の開始要求が制御部７１３に対して入力されると、制御部７１３は別に設定された予熱温度と合わせて、加熱コイル６ｂのインバータ回路７０４に予熱処理を要求して、インバータ回路７０４から電力が供給され加熱コイル６ｂは予熱を開始する。
【００７１】
温度検出器７１１による温度情報により、油温が設定した温度に到達したと制御部713が判断したら、制御部７１３は報知部７１２に対して報知要求を行い、予熱が終了するとのブザーを鳴らし使用者に知らせる。
【００７２】
揚げ物調理中は、調理の進行に合わせて温度検出器７１１からの温度情報に基づき、所定の油温を維持するように制御部７１３からインバータ回路７０４に指令し、加熱コイル６ｂへの電力を調節する。
【００７３】
揚げ物調理が終わったら、使用者の操作により上面操作部８ｂの切／スタートキー401が押され、この入力により制御部７１３は加熱を停止する。他に調理が行われていなければ、使用者はパネル操作部７の電源切／入スイッチ７ａを押して電源を切る。
【００７４】
次に、誘導加熱調理器全体の消費電力を所定の定格電力を超えないようにする制御について図８，図９，図１０により説明する。図８は各加熱部の出力設定の例を説明する図、図９は設定キー操作時に機器全体の消費電力が所定の定格電力を超えないようにする制御を説明するフローチャート、図１０はグリル調理スタート時に機器全体の消費電力が所定の定格電力を超えないようにする制御を説明するフローチャートである。尚、図８中、シーズヒータとはグリル部５の加熱手段である。
【００７５】
図８の例１は、加熱コイル６ｃを上面操作部８ｃの設定キー４０２により設定可能な最大出力の１.６ｋＷ に設定して調理を開始した場合である。
【００７６】
加熱コイル６ｃでの加熱開始後に、加熱コイル６ｂが、上面操作部８ｂの設定キー402により設定可能な最大出力の３.０ｋＷ に設定された場合、加熱コイル６ｃの１.６ｋＷ と加熱コイル６ｂの要求出力３.０ｋＷ との合計出力が４.６ｋＷ である。これは、本実施例における定格出力である５.８ｋＷ 以内である。よって制御部７１３は、加熱コイル６ｂの当該出力要求を受け入れる。そして、制御部７１３は上面表示部９ｂには３.０
ｋＷに相当する表示を行い、加熱コイル６ｂへの電力供給をインバータ回路７０４に要求して、使用者は調理を開始する。
【００７７】
さらに加熱コイル６ａで調理しようとして出力設定を１.１ｋＷ を超える設定にしようとすると、機器全体の消費電力が所定の定格電力の５.８ｋＷ を超えないように制御部
７１３で制御するため、加熱コイル６ａの出力を設定する設定キー４０２の操作は１.１ｋＷを超える出力要求は受け付けず、上面表示部９ａには１.１ｋＷ より大きな出力を表示させない。各加熱コイル６は設定可能な火力が離散的に設定されているため、この場合は、定格電力の５.８ｋＷ に対して１.２ｋＷ は設定されない。
【００７８】
したがって加熱コイル６ａの出力は１.１ｋＷ までしか設定することが出来ない。すなわち図９に示すように、制御部７１３は、ステップ９０１で所定の定格電力５.８ｋＷ から現在調理中の合計の出力を引いた値より設定出力が大きい場合は、ステップ９０２でその設定出力を受け付けず、表示しないようにする。
【００７９】
ステップ９０１で所定の定格電力５.８ｋＷ から現在調理中の合計の出力を引いた値より設定出力が大きくない場合は、ステップ９０３でその設定出力を受け付けるようにし、使用者には１.１ｋＷ を超えない設定となるように誘導する。
【００８０】
このように、トッププレート２上で３口の加熱コイル６ａ，６ｂ，６ｃにより同時に調理しようとする場合、設定最大火力出力が異なる２口の加熱コイル６では設定可能な最大出力で調理することが可能であり、残り１口の加熱コイル６では調節した出力で調理することができる。
【００８１】
従って、本実施例の場合、設定最大火力出力が異なる２口の加熱コイルは設定可能な最大出力で調理が可能となり、しかも残りの１口の加熱コイルでも調節した出力で調理が可能であるため、調理時に出力の制限による使いにくさによる不便さを感じることなく、快適に調理することが出来、使い勝手が非常に良い。
【００８２】
図８の例２は、加熱コイル６ｃで自動調理の炊飯（設定最大出力１.１ｋＷ ）調理を開始し、次に加熱コイル６ｂで設定可能な最大出力の３.０ｋＷ を設定して調理を開始し、次に加熱コイル６ａで自動調理の揚げ物（設定最大出力１.８ｋＷ ）を設定しようとする場合である。このときの機器全体の消費電力が５.９ｋＷとなり所定の定格電力の５.８
ｋＷを超えるため、制御部７１３は加熱コイル６ａでの揚げ物の自動調理機能を設定できないように制御する。
【００８３】
このように、調理中の出力及びこれから設定しようとする調理の出力は、手動の出力設定であればそのとき設定された出力とし、自動調理の場合は自動調理機能により出力が途中で変動するように制御された場合、その自動調理機能における最大出力(設定最大出力)で計算を行う。このようにすることにより、所定の定格電力を超えることを無くすことができる。この場合、加熱コイル６ｂでの設定出力を手動で下げた後（例えば、３.０ｋＷ を２.５ｋＷに下げた場合）、加熱コイル６ｃ及び加熱コイル６ｂの合計出力が３.６ｋＷなので加熱コイル６ａで揚げ物調理メニューを選択しても、５.４ｋＷ となり、この場合は、加熱コイル６ａの揚げ物調理メニューの設定要求を制御部７１３は受け入れる。
【００８４】
図８の例３は、加熱コイル６ａで自動調理の湯沸し（設定最大出力２ｋＷ ）を行い、加熱コイル６ｂで自動調理の揚げ物（設定最大出力１.８ｋＷ ）を行い、さらに加熱コイル６ｃで炊飯（設定最大出力１.１ｋＷ ）を行った例である。このときの機器全体の消費電力は最大４.９ｋＷ で所定の定格電力の５.８ｋＷ を超えることはない。
【００８５】
このように、トッププレート２上で３口の加熱コイル６ａ，６ｂ，６ｃにより同時に自動調理を行うことが可能であるため、使い勝手が非常に良い。
【００８６】
いずれかの自動調理の設定において、最後の自動調理を設定する際の上面表示部９の表示について説明する。該当する加熱コイル６のメニューキー４０４が押され、自動調理モードになったときに、各自動調理メニューは予め設定最大出力が登録してあるので、制御部７１３は、上面表示部９に設定可能な自動メニューを表示させる。例３の場合、加熱コイル６ｂでの自動調理設定が最後であった場合は、保温，炊飯，揚げ物，湯沸しの各自動メニューを表示する。
【００８７】
図８の例４は、グリル部５の加熱手段により魚等を調理する場合の例であり、加熱コイル６ａで自動調理の炊飯（設定最大出力１.１ｋＷ ）中に、グリル部５で魚焼き等の調理を開始する場合である。
【００８８】
グリル部５の調理に際し、パネル操作部７の切／スタートキー７ｂが押され、グリル部５の出力要求が制御部７１３に対してあると、図１０に示すように、ステップ１０１で加熱コイル６ａの調理中を判定し、調理中であるためステップ１０２を実行する。
【００８９】
加熱コイル６ａは自動調理中（炊飯）であるためステップ１０３を実行し、加熱コイル６ａの出力は１.６ｋＷ を超えていないので、次にステップ１０４を実行する。（所定の定格電力５.８ｋＷ ）−（調理中の出力の合計１.１ｋＷ ）が４.７ｋＷ であり、グリル部５の消費電力の１.５ｋＷ 以上であるので、制御部７１３は、グリル部５のステップ
１０５で加熱手段の切／スタートキー７ｂを受け付ける。
【００９０】
次に加熱コイル６ｂの出力要求が制御部７１３に対してなされた場合、要求出力が2.4ｋＷであると、機器の合計最大消費出力が５.０ｋＷ であるので定格電力５.８ｋＷ より小さい値である。それにより、この加熱コイル６ｂの出力要求を制御部７１３は受け入れ、インバータ回路７０４が要求出力２.４ｋＷ の出力を行うよう制御する。
【００９１】
さらに加熱コイル６ｃに対応する上面操作部８ｃの切／スタートキー４０１からの加熱開始の入力を制御部７１３が検知すると、既に機器の合計最大消費出力が５.０ｋＷ となっているので、制御部７１３は上面表示部９ｃには出力として０.８ｋＷ の表示までしか行わない。
【００９２】
そこで、加熱コイル６ｃに対する出力要求が０.８ｋＷ に設定されると、制御部７１３はインバータ回路７０５が０.８ｋＷ の出力を行うように制御する。この時の機器全体の消費電力は５.８ｋＷ となり、所定の定格電力の５.８ｋＷ を超えることはない。
【００９３】
この場合、グリル部５は、被調理物がどのようなものであっても、設定最大出力が予め設定されているため、他の加熱コイル６とは異なり、一定の出力を確保する必要がある。この例４では定格電力に対してグリル部５の加熱に必要な要求出力が満たされたためグリル部５の出力要求を制御部７１３が受け入れ許可できた。
【００９４】
このようにトッププレート２上の３口の加熱コイル６と、グリル部５とで同時に調理を行うことができるため、使い勝手が非常に良い。
【００９５】
図８の例５は、加熱コイル６ａの設定可能な最大出力３.０ｋＷ で加熱を行い、加熱コイル６ｂが出力２.４ｋＷ で加熱を行っているときに、グリル部５で魚焼き等の調理を要求する場合である。
【００９６】
グリル部５で調理開始しようとして、使用者がパネル操作部７の切／スタートキー７ｂを押すと、制御部７１３にグリル部５の出力要求が入力される。制御部７１３では、図
１０に示すように処理を実行し、この出力要求の可否を判断する。
【００９７】
まず、加熱コイル６ａが最大出力３.０ｋＷ で調理中（ステップ１０１）であるが、加熱コイル６ａは自動調理中ではない（ステップ１０２）ので、ステップ１０６を実行する。
【００９８】
加熱コイル６ａの出力３.０ｋＷ が１.６ｋＷ より大であるため、ステップ１０７を実行し、（所定の定格電力５.８ｋＷ ）−（調理中の出力（加熱コイル６ｂ，６ｃ）の合計２.４ｋＷ ）−１.６ｋＷ が、１.８ｋＷ となる。
【００９９】
これは１.５ｋＷ より大きいためステップ１０８を実行する。ステップ１０８では加熱コイル６ａの出力を自動的に３.０ｋＷ から特定値の１.６ｋＷ に減じることにより、ステップ１０５でグリル部５の加熱手段の切／スタートキー７ｂによるグリル部５の出力要求を制御部７１３が受け付ける。
【０１００】
次に加熱コイル６ｃの出力要求が制御部７１３にあった場合、機器の合計最大消費電力は５.５ｋＷ であるため、制御部７１３は加熱コイル６ｃに対応する設定キー４０２を操作されても、上部表示部９ｃでは０.３ｋＷ の表示を行う。加熱コイル６ｃに対する設定火力が０.３ｋＷ に設定されたら、制御部７１３はインバータ回路７０５に当該要求火力が出力されるよう制御して、使用者は調理を行う。
【０１０１】
この時の合計消費電力は５.８ｋＷ となり、所定の定格電力５.８ｋＷ を超えない。なお、特定値の１.６ｋＷ はこの値に限定されるものではなく、誘導加熱調理器が設置される電気設備の電源容量に応じて適宜選定すれば良い。
【０１０２】
本実施例におけるこの特定値（１.６ｋＷ ）は、出力が制限された加熱コイル６ａにおいて、自動調理メニューとして揚げ物（設定最大出力１.８ｋＷ ）と湯沸し（設定最大出力２.０ｋＷ ）は行えない電力値である。
【０１０３】
しかし、少なくとも加熱コイル６ａと同じ最大出力３.０ｋＷ を磁性体の鍋で出力可能な加熱コイル６ｂにおいては、グリル部５のシーズヒータ７０２に電力を供給しても、加熱コイル６ａ及び６ｂよりも最大出力が小さい加熱コイル６ｃの設定出力によっては、加熱コイル６ｂに予め設定した全ての自動調理メニューを実行できる出力を確保し供給できることが好ましい。
【０１０４】
具体的には、出力が制限された加熱コイル６ａが１.６ｋＷ 及びグリル部５のシーズヒータ７０２の設定最大出力が１.５ｋＷ であり、これらを合わせると３.１ｋＷ である。これは、本実施例で想定する定格電力５.８ｋＷ に対して２.７ｋＷ の余裕がある。この余剰電力は、加熱コイル６ｂに予め設定された自動調理メニューの中で最大の設定火力を要求する湯沸し調理（２.０ｋＷ ）を行い得る出力である。
【０１０５】
本実施例では、例え加熱コイル６ａへの電力供給が行われていたときに、グリル部５のシーズヒータ７０２に電力を供給するように電力供給部であるオンオフ回路７０６に対する出力要求があったとしても、加熱コイル６ａへの電力供給が制限された結果、加熱コイル６ｂでは全ての設定された自動調理（保温，炊飯，揚げ物，湯沸し）が行え、更に、加熱コイル６ａ及び６ｂよりも設定最大出力が小さい加熱コイル６ｃでも少なくとも一つの自動調理（保温）が可能となる。
【０１０６】
このように加熱コイル６ａの出力を自動的に特定値の１.６ｋＷ に減じることにより、トッププレート２上の３口の加熱コイル６と、グリル部５で同時に調理を行うことができるため、使い勝手が非常に良い。
【０１０７】
また、グリル部５の加熱手段で魚焼き等の調理を開始しようとするとき、自動的に出力を減じる特定の加熱コイル６は、グリル部５の上に設けられたトッププレート２の手前左側の加熱コイル６ａに特定しているため、使用者は出力が途中で変化しても調理の仕上がりに支障がない調理を予めこの特定の加熱コイル６ａで行うことができるため、使い勝手が非常に良い。
【０１０８】
また、グリル部５の加熱手段で魚焼き等の調理を開始しようとするとき、自動的に出力が減じられた加熱コイルがあっても、機器としては、少なくとも一つの加熱コイルが設定された自動調理を全て行うことができるので、実質的な使い勝手に影響が少ない。
【０１０９】
なお、ステップ１０２で加熱コイル６ａが自動調理中で、ステップ１０３でその自動調理中の加熱コイル６ａの出力が１.６ｋＷ を超える場合はステップ１０９でグリル部５の加熱手段の切／スタートキー７ｂを受け付けないようにした。
【０１１０】
言い換えると、加熱コイル６ａが特定値を超える設定最大出力で行われる自動調理中であれば、その自動調理を優先し、グリル部５の調理を制限するようにしている。このように、加熱コイル６ａが自動調理中の場合は自動調理の仕上がりに影響が出ないように出力を自動的に減じないようにしている。
【０１１１】
また、ステップ１０７で（所定の定格電力５.８ｋＷ ）−（調理中の加熱コイル６ｂ，６ｃの出力の合計）−（加熱コイル６ａの出力１.６ｋＷ ）が１.５ｋＷ 以下の場合、グリル部５の加熱手段を動作させると合計の消費電力が所定の定格電力を超えるため、ステップ１０９でパネル操作部７の切／スタートキー７ｂを受け付けないようにして、所定の定格電力を超えないように制御している。
【０１１２】
また、ステップ１０１で加熱コイル６ａが調理中でない場合、ステップ１０４で、（所定の定格電力５.８ｋＷ）−（調理中の加熱コイル６ｂ，６ｃの出力の合計）が１.５ｋＷ以下の場合、グリル部５の加熱手段を動作させると合計の消費電力が所定の定格電力を超えるため、ステップ１０９でパネル操作部７の切／スタートキー７ｂを受け付けないようにして、所定の定格電力を超えないように制御している。
【０１１３】
このように、使用者が調理に応じた加熱部を使用する際に、日本人の多くが好む魚焼きやピザやグラタン等が調理できるグリル部５を優先して使用できるようにし、さらには自動調理も優先され、その他の加熱部の一つを自動的に電力を下げるように電力配分することで、全ての加熱部が使用できるようになり、多くの料理を一度に食卓に運ぶことができる。
【０１１４】
したがって、複数の料理を並行して調理できる。更には調理を数回に分ける必要がなくなる。そのため、使用者は調理時に不便さを感じることなく快適に調理することが出来、非常に使い勝手が良い。
【図面の簡単な説明】
【０１１５】
【図１】本発明の一実施例を示す誘導加熱調理器をシステムキッチンに組み込んだ状態の外観斜視図である。
【図２】同じく、パネル操作部の詳細図である。
【図３】同じく、誘導加熱調理器の上面図である。
【図４】同じく、上面操作部の詳細図である。
【図５】同じく、設定可能な出力を説明する図である。
【図６】同じく、設定可能な自動調理を説明する図である。
【図７】同じく、誘導加熱調理器の回路ブロック図である。
【図８】同じく、各加熱部の出力設定例を説明する図である。
【図９】同じく、設定キー操作時に機器全体の消費電力が所定の定格電力を超えないようにする制御を説明するフローチャートである。
【図１０】同じく、グリル調理スタート時に機器全体の消費電力が所定の定格電力を超えないようにする制御を説明するフローチャートである。
【図１１】同じく、誘導加熱調理器のインバータ回路のブロック図である。
【符号の説明】
【０１１６】
１…本体、２…トッププレート、５…グリル部、６…加熱コイル、７０２…シーズヒータ、７０３，７０４，７０５…インバータ回路、７１３…制御部。
【図１】
2008027638.tif 000003
【図２】
2008027638.tif 000004
【図３】
2008027638.tif 000005
【図４】
2008027638.tif 000006
【図５】
2008027638.tif 000007
【図６】
2008027638.tif 000008
【図７】
2008027638.tif 000009
【図８】
2008027638.tif 000010
【図９】
2008027638.tif 000011
【図１０】
2008027638.tif 000012
【図１１】
2008027638.tif 000013